(57)【要約】【課題】  半田付け前に電源用端子を配線基板に脱落しないように確実に安定性よく仮保持させる。【解決手段】  電極部２１と、ピン形の第１端子部２３及び谷形に折れ曲がった第２端子部２４を有する脚部２２とを有する。配線基板１の第２孔部５２に第２端子部２４を挿通することによって電極部２１が配線基板１に対して位置決めされる。第１孔部５１に挿通した第１端子部２３と第２孔部５２に挿通した第２端子部２４とを、配線基板１の裏面のランドに半田付けする。自然状態での脚部２２がその中間箇所で折り曲げられている。脚部２２をその弾性に抗して変形させることにより第１端子部２３と第２端子部２４との並び方向を第１孔部５１と第２孔部５２との並び方向に合わせて、第１孔部５１と第２孔部５２とに第１端子部２３と第２端子部２４とを挿通した状態で半田付けする。【選択図】        図１
2007250485.tif 000002
【特許請求の範囲】
【請求項１】
電源電極に接触される電極部と、ピン形の第１端子部及び谷形に折れ曲がった第２端子部を有する脚部とを有してその脚部が曲げ加工された弾性を備える線材によって形成されており、第１孔部とスリット状の第２孔部とを有する配線基板の上記第２孔部に上記第２端子部を挿通することによって上記電極部が配線基板に対して位置決めされるようになっていると共に、上記第１孔部に挿通された上記第１端子部と上記第２孔部に挿通された上記第２端子部とが、上記配線基板の裏面のランドにそれぞれ半田付けされている電源用端子の取付構造において、
自然状態での上記脚部がその中間箇所で上記配線基板の板面に沿う方向に折り曲げられて上記第１端子部と第２端子部との並び方向が上記配線基板の第１孔部と第２孔部との並び方向に対して交差しており、上記脚部をその弾性に抗して変形させることにより第１端子部と第２端子部との並び方向を上記配線基板の第１孔部と第２孔部との並び方向に合わせてそれらの第１孔部と第２孔部とに上記第１端子部と上記第２端子部とをそれぞれ挿通させることによって上記第２端子部を上記第２孔部の孔壁面に弾圧させた状態で上記第１端子部と第２端子部とが上記配線基板の裏面のランドに半田付けされていて、
上記第２端子部が、上記第１端子部に対する遠近方向の２箇所に位置する立下り部を有し、上記脚部が、上記第１端子部に近い側に位置する上記立下り部の根元で上記配線基板の板面に沿う方向に折り曲げられていると共に、上記配線基板の第１孔部と第２孔部とが第１孔部の長手方向に直線状に並んでいることを特徴とする電源用端子の取付構造。
【請求項２】
電源電極に接触される電極部と、ピン形の第１端子部及び谷形に折れ曲がった第２端子部を有する脚部とを有してその脚部が曲げ加工された弾性を備える線材によって形成されており、第１孔部とスリット状の第２孔部とを有する配線基板の上記第２孔部に上記第２端子部を挿通することによって上記電極部が配線基板に対して位置決めされるようになっていると共に、上記第１孔部に挿通された上記第１端子部と上記第２孔部に挿通された上記第２端子部とが、上記配線基板の裏面のランドにそれぞれ半田付けされている電源用端子の取付構造において、
自然状態での上記脚部がその中間箇所で上記配線基板の板面に沿う方向に折り曲げられて上記第１端子部と第２端子部との並び方向が上記配線基板の第１孔部と第２孔部との並び方向に対して交差しており、上記脚部をその弾性に抗して変形させることにより第１端子部と第２端子部との並び方向を上記配線基板の第１孔部と第２孔部との並び方向に合わせてそれらの第１孔部と第２孔部とに上記第１端子部と上記第２端子部とをそれぞれ挿通させることによって上記第２端子部を上記第２孔部の孔壁面に弾圧させた状態で上記第１端子部と第２端子部とが上記配線基板の裏面のランドに半田付けされていることを特徴とする電源用端子の取付構造。
【請求項３】
上記第２端子部が、上記第１端子部に対する遠近方向の２箇所に位置する立下り部を有し、上記脚部が、上記第１端子部に近い側に位置する上記立下り部の根元で上記配線基板の板面に沿う方向に折り曲げられている請求項２に記載した電源用端子の取付構造。
【発明の詳細な説明】
【技術分野】
【０００１】
本発明は、電源用端子の取付構造、詳しくは、ＤＶＤプレーヤやＤＶＤレコーダなどのディスク装置、テレビジョン受像機、プロジェクタやその他の各種電気電子機器セットを遠隔制御することに用いられるリモートコントローラ（以下「リモコン」という）に採用される電源用端子の取付構造に関する。
【背景技術】
【０００２】
この種の汎用的なリモコンは、電源として乾電池を収容する電池ボックスを備えていて、その電池ボックスには、乾電池の陽極や陰極といった電源電極と配線基板の回路パターンとを接続する電源用端子が装備されている。
【０００３】
この電源用端子の取付構造の従来例を図３〜図５を参照して説明する。図３は電源用端子の取付構造を示した分解斜視図、図４は同取付構造の平面図、図５は同取付構造の縦断側面図である。
【０００４】
図３〜図５において、配線基板１は縦長に形成されていて、その先端部に図示していない発光素子、その基部に第１及び第２の２つの電源用端子２，４の取付スペースＳを備えていると共に、その縦方向中間部にスイッチ群（不図示）を備えている。また、この配線基板１は、図示していないキートップ群を備えたラバーと共にケースに収容される。そして、ユーザが、ラバーのキートップを適宜選択して押下げ操作することによって上記発光素子から出力信号が発信されるようになっている。
【０００５】
図１のように、配線基板１の取付スペースＳには、それぞれの電源用端子２，４に対応して、丸孔でなる第１孔部５１，６１とスリット状の第２孔部５２，６２とが備わっていて、これらは第２孔部５２，６２の長手方向に直線状に並んでいる。これに対し、一方側の電源用端子２は、電極部２１と脚部２２とを備え、脚部２２が、曲げ加工によって形成されたピン形の第１端子部２３及び谷形に折れ曲がった第２端子部２４を有していると共に、それらの第１端子部２３と第２端子部２４とが、第２端子部２４の２箇所の立下り部２５，２６の並び方向に直線状に並んでいる。したがって、図４のように、脚部２２は、第１及び第２の端子部２３，２４の形成箇所で平面視直線形状を有している。また、第２端子部２４を第２孔部５２に挿通させると、その第２孔部５２により第１端子部２３の位置が規制されてその第１端子部２３が第１孔部５１に無理なく挿通されると共に、電極部２１が配線基板１に対して位置決めされるようになっている。さらに、第１孔部５１に挿通された第１端子部２３と、第２孔部５２に挿通された第２端子部２４とは、それぞれが配線基板１の裏面のランドに半田付けされる。図５において、７１，７２は半田盛りを示している。
【０００６】
図３によって判るように、他方側の電源用端子４についても同様の構成になっていて、電極部４１と脚部４２とを備え、脚部４２が、ピン形の第１端子部４３及び谷形に折れ曲がった第２端子部４４を有し、それらの第１端子部４３と第２端子部４４とが、第２端子部４４の２箇所の立下り部４４，４６の並び方向に直線状に並んでいる。また、第２端子部４４を第２孔部６２に挿通させると、その第２孔部６２により第１端子部４３の位置が規制されてその第１端子部４３が第１孔部６１に無理なく挿通されると共に、電極部４１が配線基板１に対して位置決めされるようになっている。さらに、第１孔部６１に挿通された第１端子部４３と、第２孔部６２に挿通された第２端子部４４とは、それぞれが配線基板１の裏面のランドに半田付けされる。
【０００７】
なお、図例の２つの電源用端子２，４にあっては、一方側の電源用端子２の電極部２１が先細コイルばねにより形成され、他方側の電源用端子４の電極部４１が渦巻きばねによって形成されている。
【０００８】
一方、従来より、端子を配線基板に取り付ける場合に、端子に具備させた弾性部を配線基板に弾圧させて半田付け時の端子の抜落ちを防ぐことのできる構造が種々提案されている（たとえば、特許文献１、特許文献２参照）。これらの特許文献によって記載されているものは、端子に具備させた拡縮可能なＵ字状又はコイル状の弾性部分をその弾性に抗して狭めながら配線基板の単一の孔に弾圧状態で挿入することによってその端子を配線基板に保持させるという手段を採用して半田付け時の端子の抜落ちを防いでいる。
【０００９】
また、電池圧着バネの振動音を防ぐための研究も行われている（たとえば、特許文献３参照）。
【特許文献１】実開平６−２３１６０号公報
【特許文献２】特開平１１−２４２９５０号公報
【特許文献３】特開２００１−２３５９１号公報
【発明の開示】
【発明が解決しようとする課題】
【００１０】
しかしながら、図３〜図５を参照して説明した従来例では、電源用端子２，４の脚部２２，４２に備わっている第１端子部２３，４３や第２端子部２６，４６を配線基板１の第１孔部５１，６１や第２孔部５２，６２に挿通させやすくして組立作業性を高めることに主眼が置かれていたために、第１端子部２３，４３や第２端子部２６，４６を配線基板１の第１孔部５１，６１や第２孔部５２，６２に挿通させた後にそれらを配線基板１の裏面のランドに半田付けするときに、第１孔部５１，６１や第２孔部５２，６２から第１端子部２３，４３や第２端子部２６，４６が容易に抜け出てしまって電源用端子２，４が配線基板１から脱落しやすいという問題があった。
【００１１】
また、特許文献１や特許文献２に記載されているものは、端子のＵ字状又はコイル状の弾性部分の寸法を配線基板側の孔の寸法に合わせて比較的高精度に定めておかなければ、満足のいく抜落ち防止作用が発揮されなくなるという問題や、その弾性部分の形状が比較的複雑であるためにその加工が面倒でコストアップにつながりやすいということが云える。
【００１２】
本発明は以上の問題に鑑みてなされたものであり、図３〜図５を参照して説明した従来例の構成にわずかな変更を加えるだけで、組立作業性をそれほど低下させることなく、半田付け前に電源用端子を配線基板に脱落しないように確実に仮保持させておくことができて、半田付け作業を容易にかつ正確に行うことが可能になる電源用端子の取付構造を提供することを目的とする。
【課題を解決するための手段】
【００１３】
本発明に係る電源用端子の取付構造は、電源電極に接触される電極部と、ピン形の第１端子部及び谷形に折れ曲がった第２端子部を有する脚部とを有してその脚部が曲げ加工された弾性を備える線材によって形成されており、第１孔部とスリット状の第２孔部とを有する配線基板の上記第２孔部に上記第２端子部を挿通することによって上記電極部が配線基板に対して位置決めされるようになっていると共に、上記第１孔部に挿通された上記第１端子部と上記第２孔部に挿通された上記第２端子部とが、上記配線基板の裏面のランドにそれぞれ半田付けされている。
【００１４】
そして、自然状態での上記脚部がその中間箇所で上記配線基板の板面に沿う方向に折り曲げられて上記第１端子部と第２端子部との並び方向が上記配線基板の第１孔部と第２孔部との並び方向に対して交差しており、上記脚部をその弾性に抗して変形させることにより第１端子部と第２端子部との並び方向を上記配線基板の第１孔部と第２孔部との並び方向に合わせてそれらの第１孔部と第２孔部とに上記第１端子部と上記第２端子部とをそれぞれ挿通させることによって上記第２端子部を上記第２孔部の孔壁面に弾圧させた状態で上記第１端子部と第２端子部とが上記配線基板の裏面のランドに半田付けされている。
【００１５】
この発明によれば、ピン形の第１端子部や谷形の第２端子部の形状を複雑化することなく、電源用端子の脚部をその中間箇所で折り曲げておくだけで、半田付け時に電源用端子が確実に配線基板に仮保持されるようになる。そのため、半田付けが容易かつ正確に行われて組立作業性が向上するために量産性を高める上で有益である。
【００１６】
本発明では、上記第２端子部が、上記第１端子部に対する遠近方向の２箇所に位置する立下り部を有し、上記脚部が、上記第１端子部に近い側に位置する上記立下り部の根元で上記配線基板の板面に沿う方向に折り曲げられているものであってもよい。
【００１７】
本発明に係る電源用端子の取付構造は、次の構成を採用することによっていっそう具体化される。すなわち、電源電極に接触される電極部と、ピン形の第１端子部及び谷形に折れ曲がった第２端子部を有する脚部とを有してその脚部が曲げ加工された弾性を備える線材によって形成されており、第１孔部とスリット状の第２孔部とを有する配線基板の上記第２孔部に上記第２端子部を挿通することによって上記電極部が配線基板に対して位置決めされるようになっていると共に、上記第１孔部に挿通された上記第１端子部と上記第２孔部に挿通された上記第２端子部とが、上記配線基板の裏面のランドにそれぞれ半田付けされている電源用端子の取付構造において、
自然状態での上記脚部がその中間箇所で上記配線基板の板面に沿う方向に折り曲げられて上記第１端子部と第２端子部との並び方向が上記配線基板の第１孔部と第２孔部との並び方向に対して交差しており、上記脚部をその弾性に抗して変形させることにより第１端子部と第２端子部との並び方向を上記配線基板の第１孔部と第２孔部との並び方向に合わせてそれらの第１孔部と第２孔部とに上記第１端子部と上記第２端子部とをそれぞれ挿通させることによって上記第２端子部を上記第２孔部の孔壁面に弾圧させた状態で上記第１端子部と第２端子部とが上記配線基板の裏面のランドに半田付けされていて、上記第２端子部が、上記第１端子部に対する遠近方向の２箇所に位置する立下り部を有し、上記脚部が、上記第１端子部に近い側に位置する上記立下り部の根元で上記配線基板の板面に沿う方向に折り曲げられていると共に、上記配線基板の第１孔部と第２孔部とが第１孔部の長手方向に直線状に並んでいる、という構成を採用することによっていっそう具体化される。
【発明の効果】
【００１８】
以上のように、本発明によれば、図３〜図５を参照して説明した従来例の構成にわずかな変更を加えるだけで、組立作業性をそれほど低下させることなく、半田付け前に電源用端子を配線基板に脱落しないように確実に安定性よく仮保持させておくことができる。そのため、半田付け作業を容易にかつ正確に行うことが可能になって量産性が向上するという効果が奏される。
【発明を実施するための最良の形態】
【００１９】
図１は本発明の実施形態に係る電源用端子の取付構造を示した分解斜視図、図２は同取付構造の平面図である。
【００２０】
図１及び図２に示した電源用端子の取付構造において、２つの電源用端子２，４は、それらの脚部２２，４２が中間箇所で折り曲げられているという点で、図３に示した電源用端子２，４と構成が相違している。
【００２１】
このことを一方側の電源用端子２について説明すると、この電源用端子２は、電極部２１と脚部２２とを備えている点、脚部２２が曲げ加工によって形成されたピン形の第１端子部２３及び谷形に折れ曲がった第２端子部２４を有している点で、図３に示した電源用端子２と同一の構成を有しているけれども、図１及び図２の一方側の電源用端子２では、脚部２２が、第１端子部２３に近い側に位置する立下り部２６の根元２６ａで折り曲げられている。このため、脚部２２が、第１端子部２３に近い側に位置する立下り部２６の根元２６ａで折り曲げられているという点で、そのような折曲げ箇所を持たない図３の電源用端子２と相違している。そして、上記立下り部２６の根元２６ａでの脚部２２の折曲げ方向は、当該電源用端子２を配線基板１に取り付けた場合における配線基板１の板面に沿う方向になっている。
【００２２】
これに対し、配線基板１の構成は、図３に示した配線基板１と同様の構成を有している。すなわち、縦長の配線基板１の取付スペースＳに、電源用端子２に対応して、丸孔でなる第１孔部５１とスリット状の第２孔部５２とが備わっていて、これらは第２孔部５２の長手方向に直線状に並んでいる。したがって、自然状態での電源用端子２にあっては、図２に仮想線で示したところからも判るように、第２端子部２４を配線基板１側の第２孔部５２に平行に位置させた状態では、脚部２２に備わっている第１端子部２３と第２端子部２４との並び方向が、配線基板１の第１孔部５１と第２孔部５２との並び方向に対して交差している。
【００２３】
また、配線基板１の先端部に図示していない発光素子を備えていると共に、その縦方向中間部にスイッチ群（不図示）を備えていて、この配線基板１が図示していないキートップ群を備えたラバーと共にケースに収容される。そして、ユーザが、ラバーのキートップを適宜選択して押下げ操作することによって上記発光素子から出力信号が発信されるようになっている。
【００２４】
一方側の電源用端子２を配線基板１に取り付けるための組立工程では、電源用端子２の脚部２２の立下り部２６の根元２６ａの折曲り箇所をその弾性に抗して変形させることにより第１端子部２３と第２端子部２４との並び方向を配線基板１の第１孔部５１と第２孔部５２との並び方向に合わせること、及び、それらの第１孔部５１と第２孔部５２とに第１端子部２３と第２端子部２４とを任意の順序でそれぞれ挿通させる。このようにすると、図２のように脚部２２が上記の折曲り箇所の弾性に抗して直線状に保形されてその折曲り箇所の復元性により第２端子部２４が第２孔部５２の孔壁面に弾圧し、また、第１端子部２３も第１孔部５１の孔壁面に弾圧するため、それらの弾圧力によって電源用端子２が配線基板１に動かないように、かつ、脱落しないように確実に仮保持される。併せて、電極部２１が配線基板１に対して正確に位置決めされる。したがって、この状態で第１端子部２３と第２端子部２４とを配線基板１の裏面のランドに半田付けすると、その半田付けが容易かつ正確に行われて組立作業性が向上し、そのことが、組立てラインでの量産性を高めることに役立つ。
【００２５】
図１に示した他方側の電源用端子４の脚部４２は一方側の電源用端子４と同様の構成になっている。すなわち、電極部４１と脚部４２とを備え、脚部４２が曲げ加工によって形成されたピン形の第１端子部４３及び谷形に折れ曲がった第２端子部４４を有している。また、脚部４２が、第１端子部４３に近い側に位置する立下り部４６の根元４６ａで折り曲げられている。そして、上記立下り部４６の根元４６ａでの脚部４２の折曲げ方向は、当該電源用端子４４配線基板１に取り付けた場合における配線基板１の板面に沿う方向になっている。これに対し、配線基板１側の取付スペースＳに備わっている丸孔でなる第１孔部６１とスリット状の第２孔部６２とは、第２孔部６２の長手方向に直線状に並んでいる。したがって、自然状態での電源用端子４にあっては、第２端子部４４を配線基板１側の第２孔部６２に平行に位置させた状態では、脚部４２に備わっている第１端子部４３と第２端子部４４との並び方向が、配線基板１の第１孔部６１と第２孔部６２との並び方向に対して交差している。
【００２６】
この電源用端子４を配線基板１に取り付けるための組立工程は、上記した一方側の電源用端子２を配線基板１に取り付けるための組立工程と同様である。したがって、半田付け時には、電源用端子４が配線基板１に脱落しないように借り保持されてその半田付けが容易かつ正確に行われて組立作業性が向上し、そのことが、組立てラインでの量産性を高めることに役立つ。
【００２７】
なお、図例の２つの電源用端子２，４にあっては、一方側の電源用端子２の電極部２１が先細コイルばねにより形成され、他方側の電源用端子４の電極部４１が渦巻きばねによって形成されている。
【００２８】
図１には、それぞれの電源用端子２，４の脚部２２，４２が、立下り部２６，４６の根元２６ａ，４６ａで内側へ折り曲げられているけれども、この点は、立下り部２６，４６の根元２６ａ，４６ａで脚部２２，４２を外側へ折り曲げておいてもよい。
【００２９】
また、図１に符号Ｌ１で示した折曲げによる第１端子部２３の横振れ幅は、５ｍｍ程度でもよいが、その横振れ幅Ｌ１の長さにそれほどの厳密性（寸法精度）は要求されない。
【図面の簡単な説明】
【００３０】
【図１】本発明の実施形態に係る電源用端子の取付構造を示した分解斜視図である。
【図２】同取付構造の平面図である。
【図３】従来例による電源用端子の取付構造を示した分解斜視図である。
【図４】従来例による同取付構造の平面図である。
【図５】従来例による同取付構造の縦断側面図である。
【符号の説明】
【００３１】
１  配線基板
２１，４１  電極部
２２，４２  脚部
２３，４３  第１端子部
２４，４４  第２端子部
２５，２６，４５，４６  立下り部
２５ａ，２６ａ，４５ａ，４６ａ  立下り部の根元
５１，６１  第１孔部
５２，６２  第２孔部
【図１】
2007250485.tif 000003
【図２】
2007250485.tif 000004
【図３】
2007250485.tif 000005
【図４】
2007250485.tif 000006
【図５】
2007250485.tif 000007